(57)【要約】【課題】  室内空間に設置された人感センサで検知した在席人数、及び室内リモコンに入力された在席目安人数に応じて湿度制御をおこない、快適性を損なわず省エネ制御を実現できる空気調和装置を得る。【解決手段】  室内空間へ送風する送風機及び蒸発器を有する室内機と、  前記室内空間内の在席人数を検知する人感センサと、  前記送風機及び前記蒸発器を使用して、前記室内空間の除湿を行う除湿手段と、  前記室内機と冷媒配管で接続された室外機と、  前記室内機及び前記室外機と通信し、前記室内機及び前記室外機の運転操作を受付けるとともに、前記室内空間の在席目安人数の入力操作を受付ける室内リモコンと、  前記人感センサで検知した在席人数、及び前記室内リモコンに入力された在席目安人数に応じて前記除湿手段を制御する湿度制御手段と、を備えたことを特徴とする空気調和装置である。【選択図】図３
2014109415.tif 000002
【特許請求の範囲】
【請求項１】
室内空間へ送風する送風機及び蒸発器を有する室内機と、
前記室内空間内の在席人数を検知する人感センサと、
前記送風機及び前記蒸発器を使用して、前記室内空間の除湿を行う除湿手段と、
前記室内機と冷媒配管で接続された室外機と、
前記室内機及び前記室外機と通信し、前記室内機及び前記室外機の運転操作を受付けるとともに、前記室内空間の在席目安人数の入力操作を受付ける室内リモコンと、
前記人感センサで検知した在席人数、及び前記室内リモコンに入力された在席目安人数に応じて前記除湿手段を制御する湿度制御手段と、
を備えたことを特徴とする空気調和装置。
【請求項２】
前記湿度制御手段は、前記在席目安人数と前記在席人数とを比較し、比較結果に基づいて前記室内空間内の湿度設定値を調節することを特徴とする請求項１に記載の空気調和装置。
【請求項３】
前記湿度制御手段は、前記在席目安人数と前記在席人数との比較結果に基づいて前記送風機から送風する風量を制御し、前記室内空間内の湿度設定値を調節することを特徴とする請求項１に記載の空気調和装置。
【請求項４】
前記湿度制御手段は、前記在席目安人数と前記在席人数との比較結果に基づいて前記蒸発器の蒸発温度を制御し、前記室内空間内の湿度設定値を調節することを特徴とする請求項１に記載の空気調和装置。
【請求項５】
前記湿度制御手段は、前記在席目安人数と前記在席人数との比較結果、及び前記室内空間の温度及び相対湿度から算出される不快指数に基づいて、前記室内空間内の湿度設定値を調節することを特徴とする請求項１に記載の空気調和装置。
【請求項６】
前記室内機を複数台備え、
前記室内機の少なくとも一つは前記除湿手段を有することを特徴とする請求項１乃至５のいずれかに記載の空気調和装置。
【請求項７】
前記除湿手段を有する室内機は、前記蒸発器の後段に少なくとも１つの再熱器が配置され、
前記除湿手段は、前記再熱器により前記室内空間内の再熱除湿を行うことを特徴とする請求項６に記載の空気調和装置。
【発明の詳細な説明】
【技術分野】
【０００１】
湿度設定値を調節する湿度制御手段を備えた空気調和装置に関するものである。
【背景技術】
【０００２】
従来、空調機における空気調和装置は、デマンド制御時に各部屋に設置される人数検出装置からの人数情報を検出し、各空調機器に対するデマンド制御量の重み付けを行うことで、各部屋の温度を一定に保つ制御を行っている。（特許文献１参照）。
【先行技術文献】
【特許文献】
【０００３】
【特許文献１】特開平６―３３５１６４号（００２２―００２５段落、第３図）
【発明の概要】
【発明が解決しようとする課題】
【０００４】
特許文献１に記載の技術では、室内空間の在席人数を検知し在席人数が少ない空間から優先的に設定温度を高く調節し、冷房運転率を落とすデマンド制御を行う。
このため、在席人数が多い場合には、温度は同じであっても相対湿度が高くなり、不快指数が上昇し快適性を損なうという問題があった。
【０００５】
本発明は、従来技術の課題を解決するため、使用者がリモコンから入力した在席目安人数と人感センサから検知した在席人数を比較し、在席目安人数及び在席人数に応じて湿度設定値を調節して湿度制御するため、快適性を損なわず省エネ制御を実現することを目的とする。
【課題を解決するための手段】
【０００６】
本発明の空気調和装置は、
室内空間へ送風する送風機及び蒸発器を有する室内機と、
前記室内空間内の在席人数を検知する人感センサと、
前記送風機及び前記蒸発器を使用して、前記室内空間の除湿を行う除湿手段と、
前記室内機と冷媒配管で接続された室外機と、
前記室内機及び前記室外機と通信し、前記室内機及び前記室外機の運転操作を受付けるとともに、前記室内空間の在席目安人数の入力操作を受付ける室内リモコンと、
前記人感センサで検知した在席人数、及び前記室内リモコンに入力された在席目安人数に応じて前記除湿手段を制御する湿度制御手段と、
を備えたことを特徴とする空気調和装置である。
【発明の効果】
【０００７】
本発明の空気調和装置は、
人感センサで検知した在席人数、及び室内リモコンに入力された在席目安人数に応じて湿度制御を行うため、快適性を損なわず省エネ制御を実現できるという効果がある。
【図面の簡単な説明】
【０００８】
【図１】実施の形態１に係る空気調和装置１００の構成図を示す。
【図２】湿度制御に関する湿り空気線図２００の概略図を示す。
【図３】実施の形態１に係る湿度設定値Ｈを調節するフロ―チャ―トＦ１００を示す。
【図４】実施の形態２に係る湿度設定値Ｈを調節するフロ―チャ―トＦ２００を示す。
【図５】実施の形態３に係る湿度設定値Ｈを調節するフロ―チャ―トＦ３００を示す。
【図６】実施の形態４に係る湿度設定値Ｈを調節するフロ―チャ―トＦ４００を示す。
【図７】実施の形態５に係る空気調和装置５００の構成図を示す。
【図８】実施の形態６に係る空気調和装置６００の構成図を示す。
【図９】実施の形態６に係る室内機６０２の内部構造の断面図を示す。
【図１０】実施の形態６に係る再熱器６０７の内部構造の断面図を示す。
【図１１】実施の形態６に係る湿度設定値Ｈを調節するフロ―チャ―トＦ６００を示す。
【発明を実施するための形態】
【０００９】
実施の形態１．
図１は、本発明の実施の形態１に係る空気調和装置１００の構成図である。
この発明の空気調和装置１００は、
１つの部屋からなる室内空間１０１の側壁あるいは天井に設置され、内部に有した送風機１１７Ａ，１１７Ｂ（後述する除湿手段）、蒸発器１１８Ａ，１１８Ｂ（後述する除湿手段）により冷却除湿機能を有する２台の室内機１０２Ａ，１０２Ｂと、
室内機１０２Ａ，１０２Ｂに設けられ、室内空間１０１から吸込空気１０３を吸い込むよう形成された吸込口（図示なし）と、室内空間１０１へ空気を吹き出すよう形成された吹出口１１０Ａ，１１０Ｂと、
吹出口１１０Ａ，１１０Ｂの近傍に設置され、室内空間１０１内の在席人数を検知する人感センサ１１１Ａ，１１１Ｂと、
室内空間１０１の外部に設置された室外機１１３と、
室内空間１０１の外部に設置され、
室内機１０２Ａ，１０２Ｂと室外機１１３との間に介在して接続配置され、冷媒の流れ制御する分流コントローラ１０９と、
室内機１０２Ａ，１０２Ｂと分流コントローラ１０９との間を接続され、冷媒が内部に充填された冷媒配管１１４と、
室外機１１３と分流コントローラ１０９との間を接続され、冷媒が内部に充填された冷媒配管１１５と、
室内機１０２Ａ，１０２Ｂと通信し、室内空間１０１内の在席目安人数を入力操作する室内リモコン１０８Ａ，１０８Ｂと、
室内リモコン１０８Ａ，１０８Ｂと室内機１０２Ａ，１０２Ｂとの間を通信接続し、さらに、室内機１０２Ａ，１０２Ｂ、室外機１１３と通信接続して運転状態や運転制御に関する信号の送受信を行う通信線１３０と、
室外機１１３内部に配置され、室内機１０２Ａ，１０２Ｂと通信し、使用電力，風量設定，冷媒の流れを運転制御する室外機制御装置１１２（湿度制御手段）と、
から構成される。
【００１０】
図１に示した、本発明の実施の形態１に係る空気調和装置１００の構成について、詳細に説明するを示す。
２台の室内機１０２Ａ，１０２Ｂは、１つの部屋からなる室内空間１０１の側壁あるいは天井に設置されている。
室内機１０２Ａは、内部に送風機１１７Ａ、蒸発器１１８Ａを配置しており、冷却除湿機能を有する。同様に、室内機１０２Ｂは、内部に送風機１１７Ｂ、蒸発器１１８Ｂを配置しており、冷却除湿機能を有する。
【００１１】
室内機１０２Ａ，１０２Ｂには、室内空間１０１から吸込空気１０３を吸い込むよう形成された吸込口（図示なし）が形成されている。
室内機１０２Ａ，１０２Ｂには、室内空間１０１へ空気を吹き出すよう形成された吹出口１１０Ａ，１１０Ｂが形成されている。
なお、吸込口、及び、吹出口１１０Ａ，１１０Ｂは任意の形状で構わない。
【００１２】
人感センサ１１１Ａ，１１１Ｂは、吹出口１１０Ａ，１１０Ｂの近傍に設置されており、人を検知する複数の感知軸を持つなどして、設置位置を中心に室内空間１０１内を２分割した担当エリアを持っている。
この人感センサ１１１Ａ，１１１Ｂは広範囲に在席人数を検知するよう、例えば上下左右に首振り可動な機構としても良い。
【００１３】
人感センサ１１１Ａ，１１１Ｂは、例えば赤外線センサが適用され、
赤外領域の光である赤外線を対象物から受光し電気信号に変換することにより、担当エリア内の在席人数をそれぞれ検知している。
【００１４】
また、人感センサ１１１Ａ，１１１Ｂは、室内空間１０１内の在席人数を検知可能な手段であれば、赤外線センサ以外にも、ＣＣＤ赤外領域の光である赤外線以外の光を受光し電気信号に変換するセンサを使用しても良い。
【００１５】
分流コントローラ１０９及び室外機１１３は、一般的に室内空間１０１の外部に設置されている。
【００１６】
室内機１０２Ａ，１０２Ｂはそれぞれ、冷媒が内部に充填された冷媒配管１１４により分流コントローラ１０９との間を接続されており、冷媒を循環させている。
【００１７】
室外機１１３は、冷媒が内部に充填された冷媒配管１１５により分流コントローラ１０９との間を接続されており、冷媒を循環させている。
【００１８】
分流コントローラ１０９は、室内機１０２Ａ，１０２Ｂへの冷媒の流れを分流制御する。
【００１９】
室外機１１３内部には、室外機制御装置１１２が配置されている。
室外機制御装置１１２は、マイコン、抵抗、コンデンサなど電子部品を電気接続して形成された電気回路で構成されている。室外機制御装置１１２は室内機１０２Ａ，１０２Ｂと通信し、使用電力，風量設定，冷媒の流れを運転制御する。
【００２０】
室外機制御装置１１２は、人感センサ１１１Ａ，１１１Ｂにより得られた担当エリア内の在席人数を検知し、室内空間１０１内全体の在席人数を算出している。
【００２１】
通信線１３０は、室内リモコン１０８Ａ，１０８Ｂと室内機１０２Ａ，１０２Ｂとの間を通信接続している。さらに、室内機１０２Ａ，１０２Ｂ、室外機１１３と通信接続している。
通信線１３０は、室内機１０２Ａ，１０２Ｂ、及び、室外機１１３の運転状態や運転制御に関する信号の送受信を行う。
【００２２】
人感センサ１１１Ａ，１１１Ｂにより検知された担当エリア内の在席人数は、通信線１３０を通して室外機１１３内に配置された室外機制御装置１１２に伝達される。
【００２３】
室内リモコン１０８Ａ，１０８Ｂは、室内空間１０１内の目標温度や運転モード（室内機及び室外機の運転操作）の他、在席目安人数の入力も受け付ける。
【００２４】
なお、実施の形態１において室内リモコン１０８Ａ，１０８Ｂは、室内空間１０１内に固定設置されないスマートフォン、携帯電話などの移動端末に置き換えられても構わない。この場合、室内リモコン１０８Ａ，１０８Ｂと室内機１０２Ａ，１０２Ｂ間で、運転状態や運転制御に関する信号をやりとりする有線接続は無線方式に置き換えられる。
【００２５】
図２は、室内空間１０１内の湿度制御に関する湿り空気線図２００の概略図である。
【００２６】
「湿り空気線図」とは、室内空間１０１内において湿り空気がさまざまな温度，湿度状態にあるときの状態点を、横軸を温度、縦軸を湿度として、二次元座標上にプロットしてチャートにしたものである。
【００２７】
図２のグラフには、横軸に乾湿計の乾球温度[℃]、縦軸に絶対湿度[ｋｇ/ｋｇ]がプロットされている。グラフ中に描かれている２本の曲線は、室内空間１０１内の相対湿度[％]である１００％ＲＨ曲線、及び５０％ＲＨ曲線を示している。
【００２８】
室内空間１０１内における相対湿度[％]は、相対湿度＝水蒸気分圧/飽和水蒸気圧×１００[％]の計算式で算出される。
ここで、水蒸気分圧は室内空間１０１内の水蒸気の分圧力であり、水蒸気分圧＝飽和水蒸気圧と等しくなるときが相対湿度＝１００[％]の状態であり、この状態の空気を「飽和空気」と呼ぶ。また、湿り空気が「飽和空気」の状態にあるときに乾球温度と湿球温度が等しくなり、乾球温度＝湿球温度となる。
【００２９】
図２の状態点の移動について、図１ながら
室内空間１０１内において、室内から取り込まれた吸込空気１０３は内部に有した蒸発器１１８を通過させた後、曲線上の状態点を移動させて、相対湿度Ｈｉｎから目標である相対湿度Ｈ１まで冷却除湿を行う。
【００３０】
例えば、室内空間１０１内において、吸込空気１０３の相対湿度ＨがＨ＝Ｈｉｎ、吸込温度ＴｉｎがＴｉｎ＝３０℃であるときを考える。
吸込空気１０３の空気の温度を下げていくと、状態点は左方向にシフトし露点温度に近づき、１００％ＲＨ曲線に抵触する。
露点温度に達すると、空気中の水分は蒸発器１１８に結露開始し、水滴が発生する。これにより、室内空間１０１内の空気の除湿が達成される。
【００３１】
このように、冷却除湿の原理は、湿り空気を露点温度以下に冷却して結露させ、室内空間１０１内の湿り空気を除湿できることを利用している。
【００３２】
逆に、室内空間１０１内の相対湿度ＨがＨ＝Ｈ１、吹出温度Ｔ１がＴ１＝２０℃であるときを考える。
室内空間１０１内の空気の温度をＴｏｕｔ＝２５℃まで上げていくと、状態点は右方向にシフトし露点温度から遠ざかり、１００％ＲＨ曲線から５０％ＲＨ曲線付近に移行する。これにより、空気中の水分は水蒸気となり、室内空間１０１内の相対湿度は５０％程度に下がる。
【００３３】
本実施の形態における、室内空間１０１内の湿度を制御する具体的な手順について説明する。
【００３４】
図３は、本発明の実施の形態１に係る、室内空間１０１内の湿度設定値Ｈを調節するフロ―チャ―トＦ１００である。図１ながら
【００３５】
今、使用者が室内空間１０１内において、室内機１０２Ａ付近に在室している場合を仮定する。
室内機１０２Ａ，１０２Ｂは、まず目標となる湿度設定値Ｈで運転している。
最初に、使用者は最も近い位置にある室内機１０２Ａと通信接続された室内リモコン１０８Ａを入力操作し、室内空間１０１内の「在席目安人数」を入力する（ステップＳ１０１）。
【００３６】
すると、室内空間１０１内の「在席目安人数」に関する情報が通信線１３０を介して、室外機制御装置１１２に伝わる。
室外機制御装置１１２は、吹出口１１０Ａ，１１０Ｂの近傍に設置された人感センサ１１１Ａ，１１１Ｂに制御開始指示を出す。
人感センサ１１１Ａ，１１１Ｂは、室内空間１０１内の在席人数の検知を開始する（ステップＳ１０２）。
【００３７】
室外機制御装置１１２は、人感センサ１１１Ａ，１１１Ｂにより検知した室内空間１０１内全体の在席人数と、先程使用者が室内リモコン１０８Ａを入力操作して入力した「在席目安人数」とを比較開始する（ステップＳ１０３）。
【００３８】
第一の判定（Ｓ１０３）において、在席人数と「在席目安人数」との比較結果が在席人数＞「在席目安人数」である場合、室内空間１０１内に「在席目安人数」よりも多数の人が在席していると判断し、ＹＥＳへ進む。
この場合、室外機制御装置１１２は、室内機１０２Ａ，１０２Ｂを制御することにより、室内空間１０１内の在席人数に基づいて室内空間１０１内を、湿度設定値ＨをＨ＝Ｈ−ΔＨのように湿度調節値ΔＨ分だけ低く調節する（ステップＳ１０４）。
【００３９】
次に、Ｓ１０４において、室内空間１０１内の相対湿度が下限値である４０％を下回るかどうか、第二の判定にて判断する（ステップＳ１０５）。
第二の判定（Ｓ１０５）において相対湿度が４０％を下回る場合、ＹＥＳへ進む。
すると、室外機制御装置１１２は湿度設定値Ｈを４０％にするよう、室内機１０２及び室外機１１３を運転制御する（ステップＳ１０６）。
【００４０】
第二の判定（Ｓ１０５）において相対湿度Ｈが４０％を超えている場合、ＮＯへ進む。  湿度調節値ΔＨ分だけ調節するよう、人感センサ１１１Ａ，１１１Ｂを使用して室内空間１０１内の在席人数を検知するＳ１０２の直前に再び戻り、上記ステップを繰り返し継続する。
【００４１】
人感センサ１１１による室内空間１０１内の在席人数の検知時間の間隔は、人の動きによる在席人数の変化を検知するために、例えば１０分間隔で制御する。
【００４２】
一方、第一の判定（Ｓ１０３）において在席人数と「在席目安人数」との比較結果が、在席人数≦「在席目安人数」であった場合、室内空間１０１内に「在席目安人数」よりも少数の人が在席していると判断し、ＮＯへ進む。
この場合、室外機制御装置１１２は、室内機１０２Ａ，１０２Ｂを制御することにより、室内空間１０１内の在席人数に基づいて室内空間１０１内を、湿度設定値ＨをＨ＝Ｈ＋ΔＨのように湿度調節値ΔＨ分だけ高く調節する（ステップＳ１０７）。
【００４３】
次に、室内空間１０１内の相対湿度Ｈが上限値である７０％を上回るかどうか、第三の判定にて判断する（ステップＳ１０８）。
第三の判定（Ｓ１０８）において相対湿度Ｈが７０％を超えている場合、ＹＥＳへ進む。
この場合、室外機制御装置１１２は湿度設定値Ｈを７０％にするよう、室内機１０２及び室外機１１３を運転制御する（ステップＳ１０９）。
【００４４】
第三の判定（Ｓ１０８）において相対湿度Ｈが７０％を超えない場合、ＮＯへ進む。
湿度調節値ΔＨ分だけ調節するよう、Ｓ１０２の直前に再び戻り、上記ステップを繰り返し継続する（ステップＳ１１０）。  人感センサ１１１による室内空間１０１内の在席人数の検知時間の間隔は、人の動きによる在席人数の変化を検知するために、例えば１０分間隔で制御する。
【００４５】
上記では、第二の判定（Ｓ１０５）及び第三の判定（Ｓ１０８）において、湿度設定値Ｈの許容変動範囲は４０％から７０％の間と設定したが、空調機が調節可能である湿度範囲なら任意の値に設定してもよい。
【００４６】
なお、上記において湿度調節値ΔＨは、室内空間１０１内の在席人数と「在席目安人数」の差分に応じて湿度調節値ΔＨ１，ΔＨ２（ΔＨ１＜ΔＨ２）をあらかじめ複数準備しておき、在席人数の差分の大小に応じて、室内空間１０１内の在席人数との差分を反映した温度設定値Ｈに近づけるようにするとよりきめ細やかな湿度制御を行うことができる。
【００４７】
また、上記において湿度調節値ΔＨは、温度設定値Ｈ０に向かって段階的に近づけるよう時間帯で湿度設定値Ｈを調節して、滑らかな運転制御ができる。
【００４８】
室内リモコン１０８Ａ，１０８Ｂが、室内空間１０１内にあることにより、「在席目安人数」の入力を受付け、室内空間１０１内の在席人数を反映した温度設定値に近づけることができる。
【００４９】
以上のように、実施の形態１においては、
使用者が、室内リモコン１０８を入力操作して入力した「在席目安人数」と、人感センサ１１１が検知した在席人数を比較し、室内空間１０１内に人が多数在席していることによって上昇する湿度を、同室内中に設置した室内機１０２Ａ，１０２Ｂを制御することによって室内空間１０１内の湿度を低減させるので、快適性を損なわず省エネ制御を実現できるという効果がある。
【００５０】
また、上記の説明では、室内機１０２Ａ，１０２Ｂ両方を使用して冷却除湿処理を行ったが、通常運転している室内機１０２Ａを湿度調節専用の室内機１０２Ｂと組み合わせて空気調和装置を構成することで運転量を減少させ、さらに省エネ制御を実現する。さらに、既存の空調機設備の一部を湿度調節専用の室内機１０２Ｂは除湿運転のみを行うため、低コストで実現できるという効果もある。
【００５１】
実施の形態２．
本実施の形態２では、湿度設定値Ｈを、除湿機能を有する室内機１０２内の送風機１１７が送風する風量Ｐを制御することで調節する。その他の仕様は実施の形態１と同様である。
【００５２】
図４は、本発明の実施の形態２に係る、室内空間１０１内の湿度設定値Ｈを調節するフロ―チャ―トＦ２００である。図１を参照しながら説明
【００５３】
今、使用者が室内空間１０１内において、室内機１０２Ａ付近に在室している場合を仮定する。
室内機１０２Ａ，１０２Ｂは、まず目標となる湿度設定値Ｈで運転している。
最初に、使用者は最も近い位置にある室内機１０２Ａと通信接続された室内リモコン１０８Ａを入力操作して、室内空間１０１内の「在席目安人数」を入力する（ステップＳ２０１）。
【００５４】
すると、室内空間１０１内の「在席目安人数」に関する情報が通信線１３０を介して、室外機制御装置１１２に伝わる。
室外機制御装置１１２は、吹出口１１０Ａ，１１０Ｂの近傍に設置された人感センサ１１１Ａ，１１１Ｂに制御開始指示を出す。
人感センサ１１１Ａ，１１１Ｂは、室内空間１０１内の在席人数の検知を開始する（ステップＳ２０２）。
【００５５】
人感センサ１１１Ａ，１１１Ｂは、設置位置を中心に室内空間１０１内を２分割した担当エリアを持っており、担当エリア内の在席人数をそれぞれ検知する。
通信線１３０を介して、室外機制御装置１１２に伝わった室内空間１０１内の在席人数は、室外機制御装置１１２により室内空間１０１内全体の在席人数に統合、変換される。
【００５６】
室外機制御装置１１２は、人感センサ１１１Ａ，１１１Ｂにより検知した室内空間１０１内全体の在席人数と、先程使用者が室内リモコン１０８Ａを入力操作して入力した「在席目安人数」とを比較開始する（ステップＳ２０３）。
【００５７】
第一の判定（Ｓ２０３）において、在席人数と「在席目安人数」との比較結果が、在席人数＞「在席目安人数」である場合、室内空間１０１内に「在席目安人数」よりも多数の人が在席していると判断し、ＹＥＳへ進む。
この場合、室外機制御装置１１２は、室内機１０２Ａ，１０２Ｂを制御することにより、室内空間１０１内の在席人数に基づいて室内空間１０１内を、送風機１１７の風量ＰをＰ＝Ｐ−ΔＰのように風量調節値ΔＰ分だけ低く調節する（ステップＳ２０４）。
送風機１１７の風量Ｐを小さくすることで、吹出温度が低下し除湿能力が向上する。
【００５８】
次に、Ｓ２０４において、室内空間１０１内の相対湿度が下限値である４０％を下回るかどうか、第二の判定にて判断する（ステップＳ２０５）。
第二の判定（Ｓ２０５）において相対湿度が４０％を下回る場合、ＹＥＳへ進む。
すると、室外機制御装置１１２は湿度設定値Ｈを４０％にするよう、室内機１０２及び室外機１１３を運転制御する（ステップＳ２０６）。
第二の判定（Ｓ２０５）において相対湿度Ｈが４０％を超えている場合、ＮＯへ進む。  湿度調節値ΔＨ分だけ調節するよう、Ｓ２０２の直前に再び戻り、上記ステップを繰り返し継続する（ステップＳ２１０）。
【００５９】
一方、第一の判定（Ｓ２０３）において在席人数と「在席目安人数」との比較結果が、在席人数≦「在席目安人数」であった場合、室内空間１０１内に「在席目安人数」よりも少数の人が在席していると判断し、ＮＯへ進む。
この場合、室外機制御装置１１２は、室内機１０２Ａ，１０２Ｂを制御することにより、室内空間１０１内の在席人数に基づいて室内空間１０１内を、送風機１１７の風量ＰをＰ＝Ｐ＋ΔＰのように風量調節値ΔＰ分大きく調節する（ステップＳ２０７）。
送風機１１７の風量Ｐを大きくすることで、吹出温度が上昇し過剰に除湿することを防ぐ。
【００６０】
次に、室内空間１０１内の相対湿度Ｈが上限値である７０％を上回るかどうか、第三の判定にて判断する（ステップＳ２０８）。
第三の判定（Ｓ２０８）において相対湿度Ｈが７０％を超えている場合、ＹＥＳへ進む。
この場合、室外機制御装置１１２は湿度設定値Ｈを７０％にするよう、室内機１０２及び室外機１１３を運転制御する（ステップＳ２０９）。
【００６１】
第三の判定（Ｓ２０８）において相対湿度Ｈが７０％を超えない場合、ＮＯへ進む。
湿度調節値ΔＨ分だけ調節するよう、Ｓ２０２の直前に再び戻り、上記ステップを繰り返し継続する（ステップＳ２１０）。
【００６２】
なお、上記において風量調節値ΔＰは、室内空間１０１内の在席人数に応じてあらかじめ複数準備しておき段階的に近づけるよう湿度設定値Ｈを調節しても構わない。
さらに、空調機の風量Ｐを制御するため、ファンの回転数を制御したり、後に実施の形態６で示す風量規制板１０７を用いたりしてもよい。
【００６３】
以上のように、実施の形態２においては、
使用者が、室内リモコン１０８を入力操作して入力した「在席目安人数」と、人感センサ１１１が検知した在席人数を比較し、室内機１０２内の送風機１１７が送風する風量Ｐを制御することで、室内空間１０１内の湿度を低減させるので、快適性を損なわず省エネ制御を実現できるという効果がある。
【００６４】
実施の形態３．
本実施の形態３では、湿度設定値Ｈを、除湿機能を有する室内機１０２内の蒸発器１１８の蒸発温度Ｔを制御することで調節する。その他の仕様は実施の形態１と同様である。
【００６５】
図５は、本発明の実施の形態３に係る、室内空間１０１内の湿度設定値Ｈを調節するフロ―チャ―トＦ３００である。図１を参照しながら説明
【００６６】
今、使用者が室内空間１０１内において、室内機１０２Ａ付近に在室している場合を仮定する。
室内機１０２Ａ，１０２Ｂは、まず目標となる湿度設定値Ｈで運転している。
最初に、使用者は最も近い位置にある室内機１０２Ａと通信接続された室内リモコン１０８Ａを入力操作し、室内空間１０１内の「在席目安人数」を入力する（ステップＳ３０１）。
【００６７】
すると、室内空間１０１内の「在席目安人数」に関する情報が通信線１３０を介して、室外機制御装置１１２に伝わる。
室外機制御装置１１２は、吹出口１１０Ａ，１１０Ｂの近傍に設置された人感センサ１１１Ａ，１１１Ｂに制御開始指示を出す。
人感センサ１１１Ａ，１１１Ｂは、室内空間１０１内の在席人数の検知を開始する（ステップＳ３０２）。
人感センサ１１１Ａ，１１１Ｂは、設置位置を中心に室内空間１０１内を２分割した担当エリアを持っており、担当エリア内の在席人数をそれぞれ検知する。
通信線１３０を介して、室外機制御装置１１２に伝わった室内空間１０１内の在席人数は、室外機制御装置１１２により室内空間１０１内全体の在席人数に統合、変換される。
【００６８】
室外機制御装置１１２は、人感センサ１１１Ａ，１１１Ｂにより検知した室内空間１０１内全体の在席人数と、先程使用者が室内リモコン１０８Ａを入力操作して入力した「在席目安人数」とを比較開始する（ステップＳ３０３）。
【００６９】
第一の判定（Ｓ３０３）において、在席人数と「在席目安人数」との比較結果が、在席人数＞「在席目安人数」である場合、室内空間１０１内に「在席目安人数」よりも多数の人が在席していると判断し、ＹＥＳへ進む。
この場合、室外機制御装置１１２は、室内機１０２Ａ，１０２Ｂを制御することにより、室内空間１０１内の在席人数に基づいて室内空間１０１内を、蒸発器１１８の蒸発温度ＴをＴ＝Ｔ−ΔＴのように蒸発温度調節値ΔＴ分だけ小さく調節する（ステップＳ３０４）。
蒸発温度Ｔを低くすることで、吹出温度が低下し除湿能力が向上する。
【００７０】
次に、Ｓ３０４において、室内空間１０１内の相対湿度が下限値である４０％を下回るかどうか、第二の判定にて判断する（ステップＳ３０５）。
第二の判定（Ｓ３０５）において相対湿度が４０％を下回る場合、ＹＥＳへ進む。
すると、室外機制御装置１１２は湿度設定値Ｈを４０％にするよう、室内機１０２及び室外機１１３を運転制御する（ステップＳ３０６）。
【００７１】
第二の判定（Ｓ３０５）において相対湿度Ｈが４０％を超えている場合、ＮＯへ進む。
湿度調節値ΔＨ分だけ調節するよう、Ｓ３０２の直前に再び戻り、上記ステップを繰り返し継続する（ステップＳ３１０）。
【００７２】
一方、第一の判定（Ｓ３０３）において、在席人数と「在席目安人数」との比較結果が、在席人数≦「在席目安人数」である場合、室内空間１０１内に「在席目安人数」よりも少数の人が在席していると判断し、ＮＯへ進む。
この場合、室外機制御装置１１２は、室内機１０２Ａ，１０２Ｂを制御することにより、室内空間１０１内の在席人数に基づいて室内空間１０１内を、蒸発器１１８の蒸発温度ＴをＴ＝Ｔ＋ΔＴのように蒸発温度調節値ΔＴ分だけ大きく調節する（ステップＳ３０７）。
このように、蒸発温度Ｔを高くすることで、過剰の除湿を防ぐ。
【００７３】
次に、室内空間１０１内の相対湿度Ｈが上限値である７０％を上回るかどうか、第三の判定にて判断する（ステップＳ３０８）。
第三の判定（Ｓ３０８）において、相対湿度Ｈが７０％を超えている場合、ＹＥＳへ進む。
この場合、室外機制御装置１１２は湿度設定値Ｈを７０％にするよう、室内機１０２及び室外機１１３を運転制御する（ステップＳ３０９）。
【００７４】
第三の判定（Ｓ３０８）において相対湿度Ｈが７０％を超えない場合、ＮＯへ進む。
湿度調節値ΔＨ分だけ調節するよう、Ｓ３０２の直前に再び戻り、上記ステップを繰り返し継続する（ステップＳ３１０）。
【００７５】
なお、上記において蒸発温度調節値ΔＴは、室内空間１０１内の在席人数に応じてあらかじめ複数準備しておき、段階的に近づけるよう湿度設定値Ｈを調節しても構わない。また、蒸発温度調節値は、電子膨張弁の開度を制御して蒸発器１１８に流れる冷媒の量を調節したり、圧縮機の周波数を制御したりして調節してもよい。
【００７６】
以上のように、実施の形態３においては、
使用者が、室内リモコン１０８を入力操作して入力した「在席目安人数」と、人感センサ１１１が検知した在席人数を比較し、室内機１０２内の蒸発器１１８の蒸発温度Ｔを制御することで室内空間１０１内の湿度を低減させるので、快適性を損なわず省エネ制御を実現できるという効果がある。
【００７７】
実施の形態４．
本実施の形態４では、湿度設定値Ｈを、不快指数ＤＩ（Ｄｉｓｃｏｍｆｏｒｔ  Ｉｎｄｅｘ）から算出した値で調節する。その他の仕様は実施の形態１と同様である。
【００７８】
不快指数ＤＩは、ＤＩ＝０.８1Ｔ＋０.０１Ｕ(０.９９Ｔ―１４.３)＋４６.３の式により算出される。
ここで、Ｔは室内空間１０１の温度[℃]、Ｕは室内空間１０１の相対湿度[％]である。
【００７９】
一般的に、不快指数ＤＩがＤＩ＝７０〜７５では、室内空間１０１内に在席している人は特に不快に感じない。
不快指数ＤＩがＤＩ＝７６〜８０に達すると在席人数の一割が不快となり、不快指数ＤＩがＤＩ＝８０を越えると在席人数の全員が不快に感じるとされている。
例えば、室内空間１０１内の温度ＴがＴ＝２６℃において、不快指数ＤＩをＤＩ＝７２程度に抑えるには、室内空間１０１内の相対湿度ＵはＵ＝４０．５％に設定する必要がある。
【００８０】
図６は、本発明の実施の形態４に係る、室内空間１０１内の湿度設定値Ｈを調節するフロ―チャ―トＦ４００である。図１を参照しながら説明
【００８１】
ここでは、設定温度ＴがＴ＝２６℃、湿度設定値ＨがＨ＝４０．５％に設定されている場合を例に挙げて説明する。
この場合、湿度設定値ＨをＨ＝４０．５％に設定しても、室内空間１０１内の不快指数ＤＩはＤＩ＝７２であり、快適性を損なわない。これより、室内空間１０１内の湿度設定値ＨをＨ＝４０．５％と決定し、初期設定する（ステップＳ４０１）。
【００８２】
今、使用者が室内空間１０１内において、室内機１０２Ａ付近に在室している場合を仮定する。
室内機１０２Ａ，１０２Ｂは、まず目標となる湿度設定値Ｈで運転している。
最初に、使用者は最も近い位置にある室内機１０２Ａと通信接続された室内リモコン１０８Ａを入力操作し、室内空間１０１内の「在席目安人数」を入力する（ステップＳ４０２）。
【００８３】
すると、室内空間１０１内の「在席目安人数」に関する情報が通信線１３０を介して、室外機制御装置１１２に伝わる。
室外機制御装置１１２は、吹出口１１０Ａ，１１０Ｂの近傍に設置された人感センサ１１１Ａ，１１１Ｂに制御開始指示を出す。
人感センサ１１１Ａ，１１１Ｂは、室内空間１０１内の在席人数の検知を開始する（ステップＳ４０３）。
【００８４】
人感センサ１１１Ａ，１１１Ｂは、設置位置を中心に室内空間１０１内を２分割した担当エリアを持っており、担当エリア内の在席人数をそれぞれ検知する。
通信線１３０を介して、室外機制御装置１１２に伝わった室内空間１０１内の在席人数は、室外機制御装置１１２により室内空間１０１内全体の在席人数に統合、変換される。
室外機制御装置１１２は、人感センサ１１１Ａ，１１１Ｂにより検知した室内空間１０１内全体の在席人数と、先程使用者が室内リモコン１０８Ａを入力操作して入力した「在席目安人数」とを比較開始する（ステップＳ４０４）。
【００８５】
第一の判定（Ｓ４０４）において、在席人数と「在席目安人数」との比較結果が、在席人数＞「在席目安人数」である場合、室内空間１０１内に「在席目安人数」よりも多数の人が在席していると判断し、ＹＥＳへ進む。
この場合、室外機制御装置１１２は、室内機１０２Ａ，１０２Ｂを制御することにより、室内空間１０１内の在席人数に基づいて室内空間１０１内を、湿度設定値ＨをＨ＝Ｈ−ΔＨのように湿度調節値ΔＨ分だけ低く調節する（ステップＳ４０５）。
【００８６】
次に、Ｓ４０５において、室内空間１０１内の相対湿度が下限値である４０％を下回るかどうか、第二の判定にて判断する（ステップＳ４０６）。
第二の判定（Ｓ４０６）において相対湿度が４０％を下回る場合、ＹＥＳへ進む。
すると、室外機制御装置１１２は湿度設定値Ｈを４０％にするよう、室内機１０２及び室外機１１３を運転制御する（ステップＳ４０７）。
第二の判定（Ｓ４０６）において相対湿度Ｈが４０％を超えている場合、ＮＯへ進む。
湿度調節値ΔＨ分だけ調節するよう、Ｓ４０３の直前に再び戻り、上記ステップを繰り返し継続する（ステップＳ４１１）。
【００８７】
一方、第一の判定（Ｓ４０４）において在席人数と「在席目安人数」との比較結果が、在席人数≦「在席目安人数」であった場合、室内空間１０１内に「在席目安人数」よりも少数の人が在席していると判断し、ＮＯへ進む。
この場合、室外機制御装置１１２は、室内機１０２Ａ，１０２Ｂを制御することにより
、室内空間１０１内の在席人数に基づいて室内空間１０１内を、湿度設定値ＨをＨ＝Ｈ＋ΔＨのように湿度調節値ΔＨ分だけ高く調節する（ステップＳ４０８）。
【００８８】
次に、室内空間１０１内の相対湿度Ｈが上限値である７０％を上回るかどうか、第三の判定にて判断する（ステップＳ４０９）。
第三の判定（Ｓ４０９）において相対湿度Ｈが７０％を超えている場合、ＹＥＳへ進む。
この場合、室外機制御装置１１２は、湿度設定値Ｈを７０％にするよう、室内機１０２及び室外機１１３を運転制御する（ステップＳ４１０）。
【００８９】
第三の判定（Ｓ４０９）において相対湿度Ｈが７０％を超えない場合、ＮＯへ進む。
湿度調節値ΔＨ分だけ調節するよう、Ｓ４０３の直前に再び戻り、上記ステップを繰り返し継続する（ステップＳ４１１）。
【００９０】
以上のように、実施の形態４においては、
使用者が、室内リモコン１０８を入力操作して入力した「在席目安人数」と、人感センサ１１１が検知した在席人数を比較し、室内空間１０１内に人が多数在席していることによって上昇する湿度を、不快指数ＤＩから算出した湿度設定値を用いた後に、同室内中に設置した室内機１０２Ａ，１０２Ｂを制御することによって室内空間１０１内の湿度を低減させるので、快適性を損なわず省エネ制御を実現できるという効果がある。
【００９１】
実施の形態５．
本実施の形態５は、図１で示した実施の形態１において、室内空間１０１内に設置した２つの室内機１０２Ａ，１０２Ｂを、室内に設置した３つの室内機５０２Ａ，５０２Ｂ，５０２Ｃで冷却除湿する構成に変更したものである。
その他の構成については、図１と同様である。詳細については、以下で説明する。
【００９２】
図７は、本発明の実施の形態５に係る空気調和装置５００の構成図である。
この発明の空気調和装置５００は、
１つの部屋からなる室内空間５０１の側壁あるいは天井に設置され、内部に有した送風機５１７Ａ，５１７Ｂ，５１７Ｃ（後述する除湿手段）、蒸発器５１８Ａ，５１８Ｂ，５１８Ｃ（後述する除湿手段）により冷却除湿機能を有する３台の室内機５０２Ａ，５０２Ｂ，５０２Ｃと、
室内機５０２Ａ，５０２Ｂ，５０２Ｃに設けられ、室内空間５０１から吸込空気５０３を吸い込むよう形成された吸込口（図示なし）と、室内空間５０１へ空気を吹き出すよう形成された吹出口５１０Ａ，５１０Ｂ，５１０Ｃと、
吹出口５１０Ａ，５１０Ｂ，５１０Ｃの近傍に設置され、室内空間５０１内の在席人数を検知する人感センサ５１１Ａ，５１１Ｂ，５１１Ｃと、
室内空間５０１の外部に設置された室外機５１３と、
室内空間５０１の外部に設置され、
室内機５０２Ａ，５０２Ｂ，５０２Ｃと室外機５１３との間に介在して接続配置され、冷媒の流れ制御する分流コントローラ５０９と、
室内機５０２Ａ，５０２Ｂ，５０２Ｃと分流コントローラ５０９との間を接続され、冷媒が内部に充填された冷媒配管５１４と、
室外機５１３と分流コントローラ５０９との間を接続され、冷媒が内部に充填された冷媒配管５１５と、
室内機５０２Ａ，５０２Ｂ，５０２Ｃと通信し、室内空間５０１内の在席目安人数を入力操作する室内リモコン５０８Ａ，５０８Ｂ，５０８Ｃと、
室内リモコン５０８Ａ，５０８Ｂ，５０８Ｃと室内機５０２Ａ，５０２Ｂ，５０２Ｃとの間を通信接続し、さらに、室内機５０２Ａ，５０２Ｂ，５０２Ｃ、室外機５１３と通信接続し、運転状態や運転制御に関する信号の送受信を行う通信線５３０と、
室外機５１３内部に配置され、室内機５０２Ａ，５０２Ｂ，５０２Ｃ、及び室外機５１３と通信し、使用電力，風量設定，冷媒の流れを運転制御する室外機制御装置５１２（湿度制御手段）と、
から構成される。
【００９３】
図７に示した、本発明の実施の形態５に係る空気調和装置５００の構成について、詳細に説明するを示す。
３台の室内機５０２Ａ，５０２Ｂ，５０２Ｃは、１つの部屋からなる室内空間５０１の側壁あるいは天井に設置されている。
室内機５０２Ａは、内部に送風機５１７Ａ、蒸発器５１８Ａを配置しており、冷却除湿機能を有する。同様に、室内機５０２Ｂは、内部に送風機５１７Ｂ、蒸発器５１８Ｂを配置しており、冷却除湿機能を有する。同様に、室内機５０２Ｃは、内部に送風機５１７Ｃ、蒸発器５１８Ｃを配置しており、冷却除湿機能を有する。
【００９４】
室内機５０２Ａ，５０２Ｂ，５０２Ｃには、室内空間５０１から吸込空気５０３を吸い込むよう形成された吸込口（図示なし）が形成されている。
室内機５０２Ａ，５０２Ｂ，５０２Ｃには、室内空間５０１へ空気を吹き出すよう形成された吹出口５１０Ａ，５１０Ｂ，５１０Ｃが形成されている。
なお、吸込口、及び、吹出口５１０Ａ，５１０Ｂ，５１０Ｃは任意の形状で構わない。
【００９５】
人感センサ５１１Ａ，５１１Ｂ，５１１Ｃは、吹出口５１０Ａ，５１０Ｂ，５１０Ｃの近傍に設置されており、人を検知する複数の感知軸を持つなどして、設置位置を中心に室内空間５０１内を３分割した担当エリアを持っている。
【００９６】
分流コントローラ５０９は、室内機５０２Ａ，５０２Ｂ，５０２Ｃと室外機５１３との間に介在して接続配置され、冷媒の流れ制御する。
室内機５０２Ａ，５０２Ｂ，５０２Ｃはそれぞれ、冷媒が内部に充填された冷媒配管５１４により分流コントローラ５０９との間を接続されており、冷媒を循環させている。
【００９７】
室外機５１３は、冷媒が内部に充填された冷媒配管５１５により分流コントローラ５０９との間を接続されており、冷媒を循環させている。
【００９８】
室外機５１３内部には、室外機制御装置５１２が配置されている。
室外機制御装置５１２は、マイコン、抵抗、コンデンサなど電子部品を電気接続して形成された電気回路で構成されている。室外機制御装置５１２は室内機５０２Ａ，５０２Ｂ，５０２Ｃと通信し、使用電力，風量設定，冷媒の流れを運転制御する。
【００９９】
室外機制御装置５１２は、人感センサ５１１Ａ，５１１Ｂ，５１１Ｃにより得られた担当エリア内の在席人数を検知し、室内空間５０１内全体の在席人数を算出している。
【０１００】
通信線５３０は、室内リモコン５０８Ａ，５０８Ｂ，５０８Ｃと室内機５０２Ａ，５０２Ｂ，５０２Ｃとの間を通信接続している。さらに、室内機５０２Ａ，５０２Ｂ，５０２Ｃ、室外機５１３と通信接続している。
通信線５３０は、室内機５０２Ａ，５０２Ｂ，５０２Ｃ、及び、室外機５１３の運転状態や運転制御に関する信号の送受信を行う。
【０１０１】
人感センサ５１１Ａ，５１１Ｂ，５１１Ｃにより検知された担当エリア内の在席人数は、通信線５３０を通して室外機５１３内に配置された室外機制御装置５１２に伝達される。
【０１０２】
室内リモコン５０８Ａ，５０８Ｂ，５０８Ｃは、それぞれ室内機５０２Ａ，５０２Ｂ，５０２Ｃ、及び室外機制御装置５１２と通信する。室内リモコン５０８Ａ，５０８Ｂ，５０８Ｃは、室内空間５０１内の目標温度や運転モード、在席目安人数を受け付ける。
【０１０３】
なお、実施の形態５において室内リモコン５０８Ａ，５０８Ｂ，５０８Ｃは、室内空間５０１内に固定設置されないスマートフォン、携帯電話などの移動端末に置き換えられても構わない。この場合、室内リモコン５０８Ａ，５０８Ｂ，５０８Ｃと室内機５０２Ａ，５０２Ｂ，５０２Ｃ間で、運転状態や運転制御に関する信号をやりとりする有線接続は無線方式に置き換えられる。
【０１０４】
また、１つの部屋からなる室内空間５０１内部における、人感センサ５１１Ａ，５１１Ｂ，５１１Ｃを使用した湿度の制御方法については、実施の形態１乃至４で説明したフローチャートＳ１００からＳ４００と同様であるので説明は省略する。
【０１０５】
さらに、冷却除湿機能を有する３台の室内機のうち、冷房運転優先の室内機５０２Ａ，５０２Ｂと、除湿運転優先の室内機５０２Ｃとを用意し、「除湿優先モ―ド」を設けても良く、使用者が室内リモコン５０８Ａ，５０８Ｂ，５０８Ｃからの入力操作で「除湿優先モ―ド」を選定できるようにしても良い。
【０１０６】
また、冷房運転優先の室内機５０２Ａ，５０２Ｂと、除湿運転優先の室内機５０２Ｃとの比率を２：１、または、冷房運転優先の室内機５０２Ａと、除湿運転優先の室内機５０２Ｂ，５０２Ｃとの比率を１：２に変更しても良い。比率は任意でよい。
これらの構成にすると、より一層多様なニーズに対応することができる。
【０１０７】
さらに、上記実施の形態５において、室内空間５０１内に計３台設置しているが、各人感センサ５１１Ａ，５１１Ｂ，５１１Ｃの担当エリア内はさらに細かく分割して細分化されても良い。この場合、人感センサの設置数を増やし、在席人数をそれぞれ検知し、通信線１３０を介して室外機制御装置１１２に伝える。
【０１０８】
実施の形態６．
本実施の形態６は、図１で示した実施の形態１において、室内空間１０１内に複数設置した室内機１０２Ａ，１０２Ｂ，１０２Ｃを、１つの室内機６０２で冷却除湿する構成に変更したものである。
【０１０９】
それに伴い、１つの室内空間１０１が、壁により３つの部屋６０１Ａ，６０１Ｂ，６０１Ｃに区切られた室内空間６０１に変更されている。
また、１つの室内機６０２の後段に順次、分岐ダクト６０５、風量規制板６０６Ａ，６０６Ｂ，６０６Ｃ、再熱器６０７Ａ，６０７Ｂ，６０７Ｃ、冷媒配管６１６、また風量規制板制御部６２８が追加されている。その他の構成は図１と同様である。詳細については、以下で説明する。
【０１１０】
図８は、本発明の実施の形態６に係る空気調和装置６００の構成図である。
この発明の空気調和装置６００は、
壁により３つの部屋６０１Ａ，６０１Ｂ，６０１Ｃに区切られた室内空間６０１の天井部に設置され、内部に有した送風機６１７（後述する除湿手段）、蒸発器６１８（後述する除湿手段）により冷却除湿機能を有する１台の室内機６０２と、
室内機６０２の後段に大径のダクト６０４を介して接続され、流路を後段に３つに分岐する分岐ダクト６０５と、
分岐ダクト６０５の後段に接続され、各部屋６０１Ａ，６０１Ｂ，６０１Ｃに至るまでを接続する、後方に延在する３本の小径のダクト６０４Ａ，６０４Ｂ，６０４Ｃと、
分岐ダクト６０５の後段に３本のダクト６０４Ａ，６０４Ｂ，６０４Ｃを通して接続され、スロットル弁などにより各ダクト６０４Ａ，６０４Ｂ，６０４Ｃ内に流れる風量を流量制御する風量規制板６０６Ａ，６０６Ｂ，６０６Ｃと、
風量規制板６０６Ａ，６０６Ｂ，６０６Ｃの後段に、３本のダクト６０４Ａ，６０４Ｂ，６０４Ｃの後方延在部を通して接続し、それぞれ設置された３つの再熱器６０７Ａ，６０７Ｂ，６０７Ｃと、
再熱器６０７Ａ，６０７Ｂ，６０７Ｃの後段に、３本のダクト６０４Ａ，６０４Ｂ，６０４Ｃの後方延在部を通して接続され、室内空間６０１内に空気を吹き出すよう形成された３つの吹出口６１０Ａ，６１０Ｂ，６１０Ｃと、
吹出口６１０Ａ，６１０Ｂ，６１０Ｃの近傍に設置され、各部屋６０１Ａ，６０１Ｂ，６０１Ｃ内の在席人数を検知する人感センサ６１１Ａ，６１１Ｂ，６１１Ｃと、
室内空間６０１の外部に設置された室外機６１３と、
室内空間６０１の外部に設置され、
室内機６０２と再熱器６０７Ａ，６０７Ｂ，６０７Ｃと室外機６１３との間に介在して接続配置され、冷媒の流れ制御する分流コントローラ６０９と、
室内機６０２と分流コントローラ６０９との間を接続され、冷媒が内部に充填された冷媒配管６１４と、
室外機６１３と分流コントローラ６０９との間を接続され、冷媒が内部に充填された冷媒配管６１５と、
再熱器６０７Ａ，６０７Ｂ，６０７Ｃと分流コントローラ６０９との間を接続され、冷媒が内部に充填された冷媒配管６１６と、
風量規制板６０６Ａ，６０６Ｂ，６０６Ｃと通信し、風量規制板６０６Ａ，６０６Ｂ，６０６Ｃの動作を制御する室内リモコン６０８Ａ，６０８Ｂ，６０８Ｃと、
風量規制板６０６Ａ，６０６Ｂ，６０６Ｃと接続し、風量規制板６０６Ａ，６０６Ｂ，６０６Ｃの風量を流量制御する風量規制板制御部６２８と、
と室内機６０２との間を通信し、さらに室内機６０２、室外機６１３、室外機制御装置６１２と通信して（同様に、室内リモコン６０８Ａ，６０８Ｂ，６０８Ｃと風量規制板６０６Ａ，６０６Ｂ，６０６Ｃと通信して）運転状態や運転制御に関する信号の送受信を行う通信線６３０と、
室外機６１３内部に配置され、室内機６０２及び室外機６１３と通信し、使用電力，風量設定，冷媒の流れを運転制御する室外機制御装置６１２（湿度制御手段）と、
から構成される。
【０１１１】
図８に示した、本発明の実施の形態６に係る空気調和装置６００の構成について、詳細に説明するを示す。
【０１１２】
１台の室内機６０２は、壁により３つの部屋６０１Ａ，６０１Ｂ，６０１Ｃに区切られた室内空間６０１の天井部に設置されている。
室内機６０２は、内部に送風機６１７、蒸発器６１８を配置しており、冷却除湿機能を有する。
【０１１３】
人感センサ６１１Ａ，６１１Ｂ，６１１Ｃは、例えば赤外線センサが適用される。
人感センサ６１１Ａ，６１１Ｂ，６１１Ｃは、吹出口６１０Ａ，６１０Ｂ，６１０Ｃの近傍に設置されており、人を検知する複数の感知軸を持つなどして、設置位置を中心に室内空間６０１内を３分割した担当エリアを持っている。
人感センサ６１１Ａ，６１１Ｂ，６１０Ｃは、赤外領域の光である赤外線を対象物から受光し電気信号に変換して、担当エリア内の在席人数をそれぞれ検知している。
【０１１４】
また、人感センサ６１１Ａ，６１１Ｂ，６１１Ｃは、室内空間６０１内の在席人数を検知可能な手段であれば、赤外線センサ以外にも、赤外領域の光である赤外線以外の光を受光し電気信号に変換するセンサを使用しても良い。
【０１１５】
また、人感センサ６１１Ａ，６１１Ｂ，６１１Ｃは、広範囲に在席人数を検知するよう、例えば左右上下に首振り可動な機構としても良い。
【０１１６】
分流コントローラ６０９及び室外機６１３は、一般的に室内空間６０１の外部に設置されている。
分流コントローラ６０９は、室内機６０２と室外機６１３、及び再熱器６０７Ａ，６０７Ｂ，６０７Ｃとの間に介在して接続配置され、冷媒の流れ制御する。
【０１１７】
室内機６０２は、冷媒が内部に充填された冷媒配管６１４により分流コントローラ６０９との間を接続されており、冷媒を循環させている。
【０１１８】
室外機６１３は、冷媒が内部に充填された冷媒配管６１５により分流コントローラ６０９との間を接続されており、冷媒を循環させている。
【０１１９】
室内空間６０１の外部には、室外機制御装置６１２が配置されている。
室外機制御装置６１２は、マイコン、抵抗、コンデンサなど電子部品を電気接続して形成された電気回路で構成されている。室外機制御装置６１２は室内機６０２と通信し、使用電力，風量設定，冷媒の流れを運転制御する。
【０１２０】
室外機制御装置６１２は、人感センサ６１１Ａ，６１１Ｂ，６１１Ｃにより得られた担当エリア内の在席人数を検知し、室内空間６０１内全体の在席人数を算出している。
【０１２１】
通信線６３０は、室内リモコン６０８Ａ，６０８Ｂ，６０８Ｃと室内機６０２との間を通信接続している。さらに、室内機６０２、室外機６１３、及び室外機制御装置６１２と通信接続している。
通信線６３０は、室内機６０２、及び、室外機６１３の運転状態や運転制御に関する信号の送受信を行う。
【０１２２】
人感センサ６１１Ａ，６１１Ｂ，６１１Ｃにより検知された担当エリア内の在席人数は、通信線６３０を通して室内空間６０１の外部に配置された室外機制御装置６１２に伝達される。
【０１２３】
なお、実施の形態６において室内リモコン６０８Ａ，６０８Ｂ，６０８Ｃは、室内空間６０１内に固定設置されないスマートフォン、携帯電話などの移動端末に置き換えられても構わない。この場合、室内リモコン６０８Ａ，６０８Ｂ，６０８Ｃと室内機６０２間で、運転状態や運転制御に関する信号をやりとりする有線接続は無線方式に置き換えられる。それ以外は、先に実施の形態１で説明した内容と同様である。
【０１２４】
また、人感センサ６１１Ａ，６１１Ｂ，６１１Ｃの数についても、室内空間６０１内の分割数に応じて、複数個設置されても構わない。
【０１２５】
図９は、本発明の実施の形態６に係る室内機６０２の内部構造の断面図である。
【０１２６】
室内機６０２は、風上側に外部から取り込まれた吸込空気６０３を吸い込むための吸込口（図示なし）、風下側に吹出空気６２３を吹き出すための吹出口（図示なし）が形成されている。
【０１２７】
室内機６０２の内部は、
先に図８で説明した冷媒配管６１４、
冷媒配管６１４の途中位置に接続されて冷媒配管６１４に流れる冷媒量を調節し冷房能力を調節する調節弁６１９、
冷媒配管６１４により分流コントローラ６０９と接続されて冷媒を蒸発させ吸込空気６０３を冷却除湿する蒸発器６１８、
蒸発器６１８に向けて吸込空気６０３を送風する送風機６１７、
調節弁６１９を制御するよう室内機６０２の外部に電気接続された制御装置６３１（図８には図示なし）、
吸込口付近に配置され、室内機６０２内部の湿度を検知する吸込空気湿度検知器６２１、吸込口付近に配置され吸込空気６０３の温度を検知する吸込空気温度検知器６２０、吹出口付近に配置され吹出空気６２３の温度を検知する吹出空気温度検知器６２２で構成されている。
【０１２８】
ここで、室内機６０２内部における、空気の流れについて説明する。
吸込口から室内機６０２内部に吸い込まれた高温多湿の吸込空気６０３は送風機６１７を通過する。その後、室内機６０２内部に配置された蒸発器６１８を通過てする。
高温多湿の吸込空気６０３は、蒸発器６１８を通過する際に冷却，減湿された後、低温乾燥の吹出空気６２３となる。
【０１２９】
この後、吹出口を通して室内機６０２外部に吹き出され、冷却，減湿された吹出空気６２３は、図８で示す後段に接続された分岐ダクト６０５と３台の風量規制板６０６Ａ，６０６Ｂ，６０６Ｃとを順次通過した後、それぞれ再熱器６０７Ａ，６０７Ｂ，６０７Ｃに吹出される。
【０１３０】
図１０は、本発明の実施の形態６に係る再熱器６０７の内部構造の断面図である。
【０１３１】
図８において説明したように、再熱器６０７は３つの再熱器６０７Ａ，６０７Ｂ，６０７Ｃから構成されている。これらは同一であるので、ここでは、再熱器６０７と称して説明実施する。
再熱器６０７は、風上側に室内機６０２の吹出口から吐き出された吹出空気６２３を吸い込むための吸込口（図８，図１０に図示なし）、風下側に吹出空気６２７を吹き出すための吹出口（８，図１０に図示なし）が形成されている。
【０１３２】
再熱器６０７の内部は、
先に図８で説明した冷媒配管６１６、
冷媒配管６１６の途中位置に接続されて冷媒配管６１６に流れる冷媒量を調節し暖房能力を調節する調節弁６２４、
冷媒配管６１６により分流コントローラ６０９と接続されて冷媒を凝縮させ吹出空気６２３を暖房乾燥する凝縮器６２５、
吹出口付近に配置され吹出空気６２７の温度を検知する吹出空気温度検知器６２６で構成されている。
【０１３３】
ここで、再熱器６０７内部における、空気の流れについて説明する。
吸込口から再熱器６０７内に吸い込まれた低温乾燥の吹出空気６２３は、再熱器６０７内部に配置された凝縮器６２５を通過する。
低温乾燥の吹出空気６２３は、凝縮器６２５を通過する際に暖房，乾燥された後、高温乾燥の吹出空気６２７となる。（再熱除湿）
【０１３４】
この後、吹出口を通して再熱器６０７外部に吹き出された暖房，乾燥された吹出空気６２７は、図８に示した後方に延在する各ダクト６０４Ａ，６０４Ｂ，６０４Ｃを通過した後、吹出口６１０Ａ，６１０Ｂ，６１０Ｃにまで至り、それぞれ各部屋６０１Ａ，６０１Ｂ，６０１Ｃの室内空間６０１に吹出される。
【０１３５】
まとめると、室内機６０２外部から取り込まれた屋外空気である吸込空気６０３は、室内機６０２内部から吹き出された吹出空気６２３が、分岐ダクト６０５、風量規制板６０６Ａ，６０６Ｂ，６０６Ｃ、これらにそれぞれ対応した再熱器６０７Ａ，６０７Ｂ，６０７Ｃの順に通過した後、後方に延在する各ダクト６０４Ａ，６０４Ｂ，６０４Ｃの延在部を通して各部屋６０１Ａ，６０１Ｂ，６０１Ｃの室内空間６０１にそれぞれ送風される。
【０１３６】
本実施の形態６における、室内空間６０１内の湿度を制御する具体的な手順について説明する。
実施の形態６．
本実施の形態６では、湿度設定値Ｈを、除湿機能を有する室内機６０２内の送風機６１７の後方に配置された風量規制板６０６Ａ，６０６Ｂ，６０６Ｃの風量規制板開閉度Ｄを制御することで調節する。その他の仕様は実施の形態１と同様である。
【０１３７】
図１１は、本発明の実施の形態６に係る、室内空間６０１内の湿度設定値Ｈを調節するフロ―チャ―トＦ６００である。図８ながら
【０１３８】
今、使用者が室内空間６０１内において、部屋６０１Ａ付近に在室している場合を仮定する。
室内機６０２は、まず目標となる湿度設定値Ｈで運転している。
最初に、使用者は最も近い位置にある室内機６０２と通信接続された室内リモコン６０８Ａを入力操作し、室内空間６０１内の「在席目安人数」を入力する（ステップＳ６０１）。
【０１３９】
すると、室内空間６０１内の「在席目安人数」に関する情報が通信線６３０を介して、室外機制御装置６１２に伝わる。
室外機制御装置６１２は、吹出口６１０Ａ，６１０Ｂ，６１０Ｃの近傍に設置された人感センサ６１１Ａ，６１１Ｂ，６１１Ｃに制御開始指示を出す。
人感センサ６１１Ａ，６１１Ｂ，６１１Ｃは、室内空間６０１内の在席人数の検知を開始する（ステップＳ６０２）。
【０１４０】
室外機制御装置６１２は、人感センサ６１１Ａ，６１１Ｂ，６１１Ｃにより検知した室内空間６０１内全体の在席人数と、先程使用者が室内リモコン６０８Ａを入力操作して入力した「在席目安人数」とを比較開始する（ステップＳ６０３）。
【０１４１】
第一の判定（Ｓ６０３）において、在席人数と「在席目安人数」との比較結果が、在席人数＞「在席目安人数」である場合、室内空間６０１内に「在席目安人数」よりも多数の人が在席していると判断し、ＹＥＳへ進む。
この場合、室外機制御装置６１２は、室内機６０２を制御することにより、室内空間６０１内の在席人数に基づいて室内空間６０１内を、風量規制板開閉度ＤをＤ＝Ｄ＋ΔＤのように風量規制板開閉度調節値ΔＤ分だけ高く調節する（ステップＳ６０４）。
【０１４２】
次に、Ｓ６０４において、室内空間６０１内の相対湿度が上限値である最大風量規制板開閉度Ｄｍａｘを下回るかどうか、第二の判定にて判断する（ステップＳ６０５）。
第二の判定（Ｓ６０５）において風量規制板開閉度Ｄが最大風量規制板開閉度Ｄｍａｘを上回る場合、ＹＥＳへ進む。
すると、室外機制御装置６１２は風量規制板開閉度Ｄを最大風量規制板開閉度Ｄｍａｘにするよう、室内機６０２及び室外機６１３を運転制御する（ステップＳ６０６）。
【０１４３】
第二の判定（Ｓ６０５）において風量規制板開閉度Ｄが最大風量規制板開閉度Ｄｍａｘを超えていない場合、ＮＯへ進む。
湿度調節値ΔＨ分だけ調節するよう、Ｓ６０２の直前に再び戻り、上記ステップを繰り返し継続する（ステップＳ６１０）。
【０１４４】
人感センサ６１１による室内空間６０１内の在席人数の検知時間の間隔は、人の動きによる在席人数の変化を検知するために、例えば１０分間隔で制御する。
【０１４５】
一方、第一の判定（Ｓ６０３）において在席人数と「在席目安人数」との比較結果が、在席人数≦「在席目安人数」であった場合、室内空間６０１内に「在席目安人数」よりも少数の人が在席していると判断し、ＮＯへ進む。
この場合、室外機制御装置６１２は、室内機６０２を制御することにより、室内空間６０１内の在席人数に基づいて室内空間６０１内を風量規制板開閉度ＤをＤ＝Ｄ−ΔＤのように風量規制板開閉度調節値ΔＤ分だけ低く調節する（ステップＳ６０７）。
【０１４６】
次に、室内空間６０１内の風量規制板開閉度Ｄが下限値である最小風量規制板開閉度Ｄｍｉｎを下回るかどうか、第三の判定にて判断する（ステップＳ６０８）。
第三の判定（Ｓ６０８）において風量規制板開閉度Ｄが最小風量規制板開閉度Ｄｍｉｎを超えている場合、ＹＥＳへ進む。
この場合、室外機制御装置６１２は、風量規制板開閉度Ｄを最小風量規制板開閉度Ｄｍｉｎにするよう、室内機６０２及び室外機６１３を運転制御する（ステップＳ６０９）。
【０１４７】
第三の判定（Ｓ６０８）において風量規制板開閉度Ｄが最小風量規制板開閉度Ｄｍｉｎを超えない場合、ＮＯへ進む。
湿度調節値ΔＨ分だけ調節するよう、Ｓ６０２の直前に再び戻り、上記ステップを繰り返し継続する。
【０１４８】
以上のように、実施の形態６においては、
使用者が、室内リモコン６０８を入力操作して入力した「在席目安人数」と、人感センサ６１１が検知した在席人数を比較し、室内機６０２内の蒸発器６１８の風量規制板開閉度Ｄを制御することで室内空間６０１内の湿度を低減させるので、快適性を損なわず省エネ制御を実現できるという効果がある。
【０１４９】
なお、上述した実施の形態では、室内空間の在席人数を検知する人感センサを備えた空気調和装置の制御方法について説明したが、本発明はこれに限定するものではなく、人感センサの設置場所、適用装置を変更すれば異なる用途にも適用できるものであり、室内空間の在席人数を検知する人感センサを使用した空気調和装置以外の装置についても適用できる。
【符号の説明】
【０１５０】
１００  空気調和装置、１０１  室内空間、１０２Ａ，１０２Ｂ  室内機、１０３  吸込空気、１０８Ａ，１０８Ｂ  室内リモコン、１０９  分流コントローラ、１１０Ａ，１１０Ｂ  吹出口、１１１Ａ，１１１Ｂ  人感センサ、１１２  室外機制御装置、１１３  室外機、１１４，１１５  冷媒配管、１１７Ａ，１１７Ｂ  送風機、１１８Ａ，１１８Ｂ  蒸発器、１３０  通信線、２００  湿り空気線図、５００  空気調和装置、５０１  室内空間、５０２Ａ，５０２Ｂ，５０２Ｃ  室内機、６００  空気調和装置、６０１  室内空間、６０１Ａ，６０１Ｂ，６０１Ｃ  部屋、６０２  室内機、６０３  吸込空気、６０４  大径のダクト、６０４Ａ，６０４Ｂ，６０４Ｃ  小径のダクト、６０５  分岐ダクト、６０６Ａ，６０６Ｂ，６０６Ｃ  風量規制板、６０７Ａ，６０７Ｂ，６０７Ｃ  再熱器、６０８Ａ，６０８Ｂ，６０８Ｃ  室内リモコン、
６０９  分流コントローラ、６１０Ａ，６１０Ｂ，６１０Ｃ  吹出口、６１１Ａ，６１１Ｂ，６１１Ｃ  人感センサ、６１２  室外機制御装置、６１３  室外機、６１４，６１５，６１６  冷媒配管、６１７  送風機、６１８  蒸発器、６１９  調節弁、６２０  吸込空気温度検知器、６２１  吸込空気湿度検知器、６２２  吹出空気温度検知器、６２４  調節弁、６２５  凝縮器、６２６  吹出空気温度検知器、６２８  風量規制板制御部、６３０  通信線、６３１  制御装置
【図１】
2014109415.tif 000003
【図２】
2014109415.tif 000004
【図３】
2014109415.tif 000005
【図４】
2014109415.tif 000006
【図５】
2014109415.tif 000007
【図６】
2014109415.tif 000008
【図７】
2014109415.tif 000009
【図８】
2014109415.tif 000010
【図９】
2014109415.tif 000011
【図１０】
2014109415.tif 000012
【図１１】
2014109415.tif 000013